(57)【要約】【課題】緊急通報において、迅速に位置情報を緊急通報先へ送信することができる端末装置等を提供すること。【解決手段】緊急通報のための緊急通報番号を示す緊急通報番号情報を格納する緊急通報番号情報格納手段と、通信のための第１桁の番号が、緊急通報番号に関連するか否かを判断する第１桁番号評価手段と、第１桁番号評価手段の判断結果に基づいて、測位装置による測位を開始する測位開始手段と、通信のために必要な番号入力が完了するまでの各桁について、緊急通報番号に関連するか否かを判断する継続桁番号評価手段と、継続桁番号評価手段の判断結果に基づいて、測位を継続又は停止する測位継続制御手段と、通信のために必要な番号入力の最後の桁も、緊急通報番号に関連する場合に、現在位置情報１６０を、緊急通報先へ送信する現在位置情報送信手段と、を有することを特徴とする端末装置２０。【選択図】図３
2006203663.tif 000002
【特許請求の範囲】
【請求項１】
緊急通報先への緊急通報のための通信装置と、
測位衛星からの信号である衛星信号に基づく測位によって、現在位置を示す現在位置情報を生成するための測位装置と、を有する端末装置であって、
緊急通報のための緊急通報番号を示す緊急通報番号情報を格納する緊急通報番号情報格納手段と、
通信のための第１桁の番号が、前記緊急通報番号に関連するか否かを判断する第１桁番号評価手段と、
前記第１桁番号評価手段の判断結果に基づいて、前記測位装置による測位を開始する測位開始手段と、
前記通信のために必要な番号入力が完了するまでの各桁について、前記緊急通報番号に関連するか否かを判断する継続桁番号評価手段と、
前記継続桁番号評価手段の判断結果に基づいて、前記測位を継続又は停止する測位継続制御手段と、
前記通信のために必要な番号入力の最後の桁も、前記緊急通報番号に関連する場合に、前記現在位置情報を、前記緊急通報先へ送信する現在位置情報送信手段と、
を有することを特徴とする端末装置。  
【請求項２】
前記第１桁の番号入力から前記通信のために必要な番号入力が完了するまでの間において、あらかじめ規定した設定間隔時間内に後続の番号入力があるか否かを判断する番号入力間隔時間判断手段を有し、
前記現在位置情報送信手段は、前記番号入力間隔時間判断手段が、前記第１桁の番号入力から前記通信のために必要な番号入力が完了するまでの間において、前記設定間隔時間内に後続の番号入力がないと判断した場合にも、前記現在位置情報を、前記緊急通報先へ送信する構成となっていることを特徴とする請求項１に記載の端末装置。
【請求項３】
前記緊急通報のために必要な番号の桁数は、３桁であることを特徴とする請求項１又は請求項２に記載の端末装置。
【請求項４】
前記緊急通報のための番号は、１１０、１１９及び１１８の全部又は一部を含むことを特徴とする請求項１乃至請求項３のいずれかに記載の端末装置。
【請求項５】
緊急通報先への緊急通報のための通信装置と、測位衛星からの信号である衛星信号に基づく測位によって、現在位置を示す現在位置情報を生成するための測位装置と、緊急通報のための緊急通報番号を示す緊急通報番号情報を格納する緊急通報番号情報格納手段と、を有する端末装置が、通信のための第１桁の番号が、前記緊急通報番号に関連するか否かを判断する第１桁番号評価ステップと、
前記端末装置が、前記第１桁番号評価ステップにおける判断結果に基づいて、前記測位装置による測位を開始する測位開始ステップと、
前記端末装置が、前記通信のために必要な番号入力が完了するまでの各桁について、前記緊急通報番号に関連するか否かを判断する継続桁番号評価ステップと、
前記端末装置が、前記継続桁番号評価ステップにおける判断結果に基づいて、前記測位を継続又は停止する測位継続制御ステップと、
前記端末装置が、前記通信のために必要な番号入力の最後の桁も、前記緊急通報番号に関連する場合に、前記現在位置情報を、前記緊急通報先へ送信する現在位置情報送信ステップと、
を有することを特徴とする端末装置の制御方法。  
【請求項６】
コンピュータに、
緊急通報先への緊急通報のための通信装置と、測位衛星からの信号である衛星信号に基づく測位によって、現在位置を示す現在位置情報を生成するための測位装置と、緊急通報のための緊急通報番号を示す緊急通報番号情報を格納する緊急通報番号情報格納手段と、を有する端末装置が、通信のための第１桁の番号が、前記緊急通報番号に関連するか否かを判断する第１桁番号評価ステップと、
前記端末装置が、前記第１桁番号評価ステップにおける判断結果に基づいて、前記測位装置による測位を開始する測位開始ステップと、
前記端末装置が、前記通信のために必要な番号入力が完了するまでの各桁について、前記緊急通報番号に関連するか否かを判断する継続桁番号評価ステップと、
前記端末装置が、前記継続桁番号評価ステップにおける判断結果に基づいて、前記測位を継続又は停止する測位継続制御ステップと、
前記端末装置が、前記通信のために必要な番号入力の最後の桁も、前記緊急通報番号に関連する場合に、前記現在位置情報を、前記緊急通報先へ送信する現在位置情報送信ステップと、
を実行させることを特徴とする端末装置の制御プログラム。
【請求項７】
コンピュータに、
緊急通報先への緊急通報のための通信装置と、測位衛星からの信号である衛星信号に基づく測位によって、現在位置を示す現在位置情報を生成するための測位装置と、緊急通報のための緊急通報番号を示す緊急通報番号情報を格納する緊急通報番号情報格納手段と、を有する端末装置が、通信のための第１桁の番号が、前記緊急通報番号に関連するか否かを判断する第１桁番号評価ステップと、
前記端末装置が、前記第１桁番号評価ステップにおける判断結果に基づいて、前記測位装置による測位を開始する測位開始ステップと、
前記端末装置が、前記通信のために必要な番号入力が完了するまでの各桁について、前記緊急通報番号に関連するか否かを判断する継続桁番号評価ステップと、
前記端末装置が、前記継続桁番号評価ステップにおける判断結果に基づいて、前記測位を継続又は停止する測位継続制御ステップと、
前記端末装置が、前記通信のために必要な番号入力の最後の桁も、前記緊急通報番号に関連する場合に、前記現在位置情報を、前記緊急通報先へ送信する現在位置情報送信ステップと、
を実行させることを特徴とする端末装置の制御プログラムを格納したコンピュータ読み取り可能な記録媒体。
【発明の詳細な説明】
【技術分野】
【０００１】
本発明は、通信機能と測位機能を備えた端末装置、端末装置の制御方法、端末装置の制御プログラム、端末装置の制御プログラムを記録したコンピュータ読み取り可能な記録媒体に関するものである。
【背景技術】
【０００２】
警察機関や消防機関などの緊急通報先への通報においては、通報者の位置の特定が重要である。例えば、「総務省、情報通信審議会、情報通信技術分化会、緊急通報機能等高度化委員会」が平成１６年５月に提出した「携帯電話からの緊急通報における発信者位置情報通知機能に係る技術的条件−緊急通報機能等高度化委員会  報告書（案）−」には、緊急通報時の初期段階に、所定の測位精度の位置情報を移動機が送出すべきことが記載されている。
これに関連する従来技術として、ダイヤル番号が緊急通報であることを検知した場合に、位置情報を取得する簡易携帯電話機が提案されている（例えば、特許文献１）。
【特許文献１】特開平１１−２５９７８４号公報（図１等）
【発明の開示】
【発明が解決しようとする課題】
【０００３】
しかし、上述の従来技術においては、緊急通報の番号をすべて入力された時点から位置情報の取得を開始するため、位置情報の取得が遅れ、緊急通報先への位置情報の送信が遅くなる場合があるという問題がある。
【０００４】
そこで、本発明は、緊急通報において、迅速に位置情報を緊急通報先へ送信することができる端末装置、端末装置の制御方法、端末装置の制御プログラム、端末装置の制御プログラムを記録したコンピュータ読み取り可能な記録媒体を提供することを目的とする。
【課題を解決するための手段】
【０００５】
前記目的は、第１の発明によれば、緊急通報先への緊急通報のための通信装置と、測位衛星からの信号である衛星信号に基づく測位によって、現在位置を示す現在位置情報を生成するための測位装置と、を有する端末装置であって、緊急通報のための緊急通報番号を示す緊急通報番号情報を格納する緊急通報番号情報格納手段と、通信のための第１桁の番号が、前記緊急通報番号に関連するか否かを判断する第１桁番号評価手段と、前記第１桁番号評価手段の判断結果に基づいて、前記測位装置による測位を開始する測位開始手段と、前記通信のために必要な番号入力が完了するまでの各桁について、前記緊急通報番号に関連するか否かを判断する継続桁番号評価手段と、前記継続桁番号評価手段の判断結果に基づいて、前記測位を継続又は停止する測位継続制御手段と、前記通信のために必要な番号入力の最後の桁も、前記緊急通報番号に関連する場合に、前記現在位置情報を、前記緊急通報先へ送信する現在位置情報送信手段と、を有することを特徴とする端末装置により達成される。
【０００６】
第１の発明の構成によれば、前記端末装置は、前記第１桁番号評価手段を有するから、通信のための第１桁の番号が、前記緊急通報番号に関連するか否かを判断することができる。そして、前記端末装置は、前記測位開始手段を有するから、前記第１桁番号評価手段の判断結果に基づいて、前記測位を開始することができる。
このような構成によって、前記端末装置は、前記第１桁番号評価手段が前記通信のための第１桁の番号が、前記緊急通報番号に関連すると判断すると、後続の桁の入力を待つことなく、前記測位を開始することができる。
すなわち、前記端末装置は、緊急通報の番号をすべて入力された時点から位置情報の取得を開始するのではなくて、第１桁の番号が、前記緊急通報番号に関連すると判断した時点で前記測位を開始するから、より早く前記現在位置情報を生成することができる。
なお、ここで「番号入力」とは、前記端末装置が番号の入力を認識することを意味する。
【０００７】
また、前記端末装置は、前記継続桁番号評価手段を有するから、前記通信のために必要な番号入力が完了するまでの各桁について、前記緊急通報番号に関連するか否かを判断することができる。
そして、前記端末装置は、前記測位継続制御手段を有するから、前記継続桁番号評価手段の判断結果に基づいて、前記測位を継続又は停止することができる。
このような構成によって、前記端末装置は、前記通信のために必要な番号入力が完了するまでの各桁が、前記緊急通報番号に関連しないと判断した場合には、前記測位を停止することができる。
すなわち、前記端末装置は、前記通信のために必要な番号入力が完了するまでの各桁が、前記緊急通報番号に関連せず、前記現在位置情報を生成する必要がない場合に、前記測位を停止することができる。
これにより、前記測位による電力消費を低減することができる。
【０００８】
また、前記端末装置は、前記現在位置情報送信手段を有するから、前記通信のために必要な番号入力の最後の桁も、前記緊急通報番号に関連する場合に、前記現在位置情報を、前記緊急通報先へ送信することができる。
上述のように、前記端末装置は、前記第１桁番号評価手段が前記通信のための第１桁の番号が、前記緊急通報番号に関連すると判断すると、後続の桁の入力を待つことなく、前記測位を開始することができる。そして、前記第１桁の番号入力から前記最後の桁の番号入力の間においても、前記測位継続制御手段によって前記測位が停止させられない限り、前記測位装置は前記現在位置情報の生成を継続している。
このため、前記端末装置は、前記通信のために必要な番号入力の最後の桁も、前記緊急通報番号に関連する場合には、前記現在位置情報が既に生成されていれば、直ちに前記現在位置情報を前記緊急通報先に送信することができる。また、前記現在位置情報が生成過程であれば、前記現在位置情報が生成され次第、前記現在位置情報を前記緊急通報先に送信することができる。
これにより、前記端末装置は、緊急通報において、迅速に位置情報を緊急通報先へ送信することができる。
【０００９】
第２の発明は、第１の発明の構成において、前記第１桁の番号入力から前記通信のために必要な番号入力が完了するまでの間において、あらかじめ規定した設定間隔時間内に後続の番号入力があるか否かを判断する番号入力間隔時間判断手段を有し、前記現在位置情報送信手段は、前記番号入力間隔時間判断手段が、前記第１桁の番号入力から前記通信のために必要な番号入力が完了するまでの間において、前記設定間隔時間内に後続の番号入力がないと判断した場合にも、前記現在位置情報を、前記緊急通報先へ送信する構成となっていることを特徴とする端末装置である。
【００１０】
前記端末装置の使用者が、例えば、怪我をしているために、緊急通報のための前記第１桁の入力ための操作をしても、後続の桁の入力のための操作をすることができない場合がある。このような場合は、緊急度が高いと言える。    
この点、第２の発明の構成によれば、前記端末装置は、前記番号入力間隔時間判断手段を有するから、前記第１桁の番号入力から前記通信のために必要な番号入力が完了するまでの間において、あらかじめ規定した設定間隔時間内に後続の番号入力があるか否かを判断することができる。
そして、前記端末装置の前記現在位置情報送信手段は、前記第１桁の番号入力から前記通信のために必要な番号入力が完了するまでの間において、前記設定間隔時間内に後続の番号入力がないと判断した場合にも、前記現在位置情報を、前記緊急通報先へ送信する構成となっている。
このため、前記端末装置は、前記端末装置の使用者が、緊急通報のための前記第１桁の入力ための操作をしても、後続の桁の入力のための操作をすることができないような緊急度が高い場合に、前記緊急通報先に前記測位位置情報を送信することができる。    
【００１１】
第３の発明は、第１の発明又は第２の発明の構成において、前記緊急通報のために必要な番号の桁数は、３桁である端末装置である。  
【００１２】
第３の発明の構成によれば、前記緊急通報のために必要な番号の桁数は、３桁である。
３桁の桁数は、警察機関などへの緊急通報番号の桁数として世界的に採用されている。
このため、前記端末装置は、警察機関などへの、緊急通報において、迅速に位置情報を緊急通報先へ送信することができる。
【００１３】
第４の発明は、第１の発明乃至第３の発明のいずれかの構成において、前記緊急通報のための番号は、１１０、１１９及び１１８の全部又は一部を含むことを特徴とする端末装置である。
１１０は、現在の日本国の警察機関への緊急通報番号である。１１９は、現在の日本国の消防機関への緊急通報番号である。そして、１１８は、現在の日本国の海上保安機関への緊急通報番号である。
このため、前記端末装置は、日本国の警察機関、消防機関及び海上保安機関への、緊急通報において、迅速に位置情報を緊急通報先へ送信することができる。
【００１４】
前記目的は、第５の発明によれば、緊急通報先への緊急通報のための通信装置と、測位衛星からの信号である衛星信号に基づく測位によって、現在位置を示す現在位置情報を生成するための測位装置と、緊急通報のための緊急通報番号を示す緊急通報番号情報を格納する緊急通報番号情報格納手段と、を有する端末装置が、通信のための第１桁の番号が、前記緊急通報番号に関連するか否かを判断する第１桁番号評価ステップと、前記端末装置が、前記第１桁番号評価ステップにおける判断結果に基づいて、前記測位装置による測位を開始する測位開始ステップと、前記端末装置が、前記通信のために必要な番号入力が完了するまでの各桁について、前記緊急通報番号に関連するか否かを判断する継続桁番号評価ステップと、前記端末装置が、前記継続桁番号評価ステップにおける判断結果に基づいて、前記測位を継続又は停止する測位継続制御ステップと、前記端末装置が、前記通信のために必要な番号入力の最後の桁も、前記緊急通報番号に関連する場合に、前記現在位置情報を、前記緊急通報先へ送信する現在位置情報送信ステップと、を有することを特徴とする端末装置の制御方法によって達成される。
【００１５】
第５の発明の構成によれば、第１の発明の構成と同様に、前記端末装置は、緊急通報において、迅速に位置情報を緊急通報先へ送信することができる。
【００１６】
前記目的は、第６の発明によれば、コンピュータに、緊急通報先への緊急通報のための通信装置と、測位衛星からの信号である衛星信号に基づく測位によって、現在位置を示す現在位置情報を生成するための測位装置と、緊急通報のための緊急通報番号を示す緊急通報番号情報を格納する緊急通報番号情報格納手段と、を有する端末装置が、通信のための第１桁の番号が、前記緊急通報番号に関連するか否かを判断する第１桁番号評価ステップと、前記端末装置が、前記第１桁番号評価ステップにおける判断結果に基づいて、前記測位装置による測位を開始する測位開始ステップと、前記端末装置が、前記通信のために必要な番号入力が完了するまでの各桁について、前記緊急通報番号に関連するか否かを判断する継続桁番号評価ステップと、前記端末装置が、前記継続桁番号評価ステップにおける判断結果に基づいて、前記測位を継続又は停止する測位継続制御ステップと、前記端末装置が、前記通信のために必要な番号入力の最後の桁も、前記緊急通報番号に関連する場合に、前記現在位置情報を、前記緊急通報先へ送信する現在位置情報送信ステップと、を実行させることを特徴とする端末装置の制御プログラムによって達成される。
【００１７】
前記目的は、第７の発明によれば、コンピュータに、緊急通報先への緊急通報のための通信装置と、測位衛星からの信号である衛星信号に基づく測位によって、現在位置を示す現在位置情報を生成するための測位装置と、緊急通報のための緊急通報番号を示す緊急通報番号情報を格納する緊急通報番号情報格納手段と、を有する端末装置が、通信のための第１桁の番号が、前記緊急通報番号に関連するか否かを判断する第１桁番号評価ステップと、前記端末装置が、前記第１桁番号評価ステップにおける判断結果に基づいて、前記測位装置による測位を開始する測位開始ステップと、前記端末装置が、前記通信のために必要な番号入力が完了するまでの各桁について、前記緊急通報番号に関連するか否かを判断する継続桁番号評価ステップと、前記端末装置が、前記継続桁番号評価ステップにおける判断結果に基づいて、前記測位を継続又は停止する測位継続制御ステップと、前記端末装置が、前記通信のために必要な番号入力の最後の桁も、前記緊急通報番号に関連する場合に、前記現在位置情報を、前記緊急通報先へ送信する現在位置情報送信ステップと、を実行させることを特徴とする端末装置の制御プログラムを格納したコンピュータ読み取り可能な記録媒体によって達成される。
【発明を実施するための最良の形態】
【００１８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  
【００１９】
（第１の実施の形態）
図１は、本発明の第１の実施の形態に係る緊急通報システム１０等を示す概略図である。
図１に示すように、緊急通報システム１０は、端末２０を有する。端末２０は、端末装置の一例である。
端末２０は、緊急通報先サーバ６０への緊急通報のための通信装置である例えば、通信装置３４を有する。緊急通報先サーバ６０は緊急通報先である例えば、警察機関、消防機関、海上保安機関に配置されている。端末２０は、通信装置３４によって、通信基地局５０及び通信網の一例であるインターネット網５５を介して、緊急通報先サーバ６０と通信可能になっている。
端末２０は、また、測位衛星である例えば、ＧＰＳ衛星１２ａ，１２ｂ，１２ｃ及び１２ｄからからの信号である信号Ｓ１，Ｓ２，Ｓ３及びＳ４を受信するためのＧＰＳ装置３６を有する。後述のように、端末２０は、受信した信号Ｓ１等に基づく測位によって、現在位置を示す現在位置情報を生成することができるようになっている。そして、後述のように、端末２０は、緊急通報先サーバ６０と通信する際に、生成した現在位置情報を緊急通報先サーバ６０に送信することができるように構成されている。
【００２０】
端末２０は例えば、携帯電話機、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）等であるが、これらに限らない。
なお、本実施の形態とは異なり、ＧＰＳ衛星１２ａ等は、３個でもよいし、５個以上でもよい。
【００２１】
（端末２０の主なハードウエア構成について）
図２は端末２０の主なハードウエア構成を示す概略図である。
図２に示すように、端末２０は、コンピュータを有しており、コンピュータは、バス２２を有する。
このバス２２には、ＣＰＵ（Ｃｅｎｔｒａｌ  Ｐｒｏｃｅｓｓｉｎｇ  Ｕｎｉｔ）２４、記憶装置２６等が接続されている。記憶装置２６は例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等である。
記憶装置２６には、オペレーティングシステム（ＯＳ）が記憶されている。
【００２２】
また、このバス２２には、電力供給装置である電池２８、各種情報等の入力を受けるための入力装置３０、各種情報等を出力するための出力装置３２、通信装置３４、ＧＰＳ装置３６、各種情報等を表示するための表示装置３８及び時計４０が接続されている。
入力装置３０は、０，１，２，３，４，５，６，７，８，９の番号及び＊、＃の記号からならなる番号入力部を備えており端末２０の使用者から入力を受けることができるようになっている。
通信装置３４は、通信アンテナ部（図示せず）、及び所定の周波数のみを通過させるＲＦ部（図示せず）を含む。
ＧＰＳ装置３６は、ＧＰＳアンテナ部（図示せず）、所定の周波数の信号を取得するＲＦ部（図示せず）及びベースバンド信号を取得するＢＢ部（図示せず）を含む。
【００２３】
（端末２０の主なソフトウエア構成について）
図３は、端末２０の主なソフトウエア構成等を示す概略図である。
図３に示すように、端末２０は、各部を制御する制御部１００、図２の通信装置３４に対応する通信部１０２、図２のＧＰＳ装置３６に対応するＧＰＳ部１０４、図２の時計４０に対応する計時部１０６等を有する。
端末２０は、また、各種プログラムを格納する第１記憶部１１０、各種情報を格納する第２記憶部１５０を有する。
【００２４】
図３に示すように、端末２０は、第２記憶部１５０に、緊急通報番号情報１５２を格納している。緊急通報番号情報１５２は、緊急通報のための緊急通報番号である例えば、１１０番、１１９番、１１８番を示す情報である。１１０番は、警察機関への緊急通報のための番号であり、１１９番は消防機関への緊急通報のための番号であり、１１８番は海上保安機関への緊急通報のための番号である。  
緊急通報番号情報１５２は緊急通報番号情報の一例であり、第２記憶部１５０は緊急通報番号情報格納手段の一例である。
【００２５】
図３に示すように、端末２０は、第１記憶部１１０に、第１桁評価プログラム１１２を格納している。第１桁評価プログラム１１２は、制御部１００が、通信のための第１桁の番号が、上述の緊急通報番号に関連するか否かを判断するためのプログラムである。すなわち、第１桁評価プログラム１１２と制御部１００は、第１桁番号評価手段の一例である。
具体的には、緊急通報番号情報１５２に示される緊急通報番号は、１１０番、１１９番及び１１８番であるから、制御部１００は、第１桁が「１」であれば、緊急通報番号に関連すると判断する。
なお、端末２０の使用者から入力された第１桁の番号は、第１桁情報１５４として第２記憶部に格納されている。
【００２６】
図３に示すように、端末２０は、第１記憶部１１０に、測位プログラム１１４を格納している。測位プログラム１１４は、制御部１００が、ＧＰＳ部１０４によって受信した信号Ｓ１等（図１参照）に基づく測位によって、現在位置を示す現在位置情報１６０を生成するためのプログラムである。すなわち、測位プログラム１１４、制御部１００及びＧＰＳ部１０４は、測位装置の一例を構成する。制御部１００は測位プログラム１１４によって、例えば、４つのＧＰＳ衛星１２ａ乃至１２ｄからの信号Ｓ１乃至Ｓ４に基づいて、端末２０と各ＧＰＳ衛星１２ａ等との距離（擬似距離と呼ぶ）を算出する。そして、これらの擬似距離と、各ＧＰＳ衛星１２ａ等の衛星軌道上の位置に基づいて、端末２０の現在位置を算出する。
なお、以後、「測位」という語は、ＧＰＳ部１０４による信号Ｓ１等の受信と、受信した信号Ｓ１等に基づく測位演算を含むものとして使用する。
【００２７】
また、測位プログラム１１４は、制御部１００が、上述の第１桁評価プログラム１１２によって、第１桁の番号が緊急通報番号に関連すると判断した場合に、ＧＰＳ部１０４を起動し、測位を開始するためのプログラムでもある。すなわち、測位プログラム１１４と制御部１００は、測位開始手段の一例でもある。
【００２８】
図３に示すように、端末２０は、第１記憶部１１０に、第２桁評価プログラム１１６を格納している。第２桁評価プログラム１１６は、制御部１００が、通信のための第２桁の番号が、上述の緊急通報番号に関連するか否かを判断するためのプログラムである。第２桁の番号は、上述の第１桁の番号に継続する番号であり、通信のために必要な番号入力が完了するまでの各桁の番号の一つを構成している。すなわち、第２桁評価プログラム１１６と制御部１００は、継続桁番号評価手段の一例である。
具体的には、緊急通報番号情報１５２に示される緊急通報番号は、１１０番、１１９番及び１１８番であるから、制御部１００は、第２桁が「１」であれば、緊急通報番号に関連すると判断する。
これに対して、制御部１００は、第２桁が「１」以外であれば、緊急通報番号に関連しないと判断する。
なお、端末２０の使用者から入力された第２桁の番号は、第２桁情報１５６として第２記憶部１５０に格納されている。
【００２９】
図３に示すように、端末２０は、第１記憶部１１０に、測位制御プログラム１１８を格納している。測位制御プログラム１１８は、制御部１００が、上述の第２桁評価プログラム１１６による判断結果または後述の第３桁評価プログラム１２０による判断結果に基づいて、測位を継続又は停止するためのプログラムである。すなわち、測位制御プログラム１１８と制御部１００は、測位継続制御手段の一例である。
例えば、制御部１００は、第２桁評価プログラム１１６によって、第２桁が「１」であって、緊急通報番号に関連すると判断した場合には、測位を継続する。
これに対して、制御部１００は、第２桁評価プログラム１１６によって、第２桁が「１」以外であって、緊急通報番号に関連しないと判断した場合には、測位を停止する。すなわち、ＧＰＳ部１０４の作動を停止し、測位演算も停止する。
【００３０】
図３に示すように、端末２０は、第１記憶部１１０に、第３桁評価プログラム１２０を格納している。第３桁評価プログラム１２０は、制御部１００が、通信のための第３桁の番号が、上述の緊急通報番号に関連するか否かを判断するためのプログラムである。第３桁の番号は、上述の第２桁の番号に継続する番号であり、通信のために必要な番号入力が完了するまでの各桁の番号の一つを構成している。すなわち、第３桁評価プログラム１２０と制御部１００もまた、継続桁番号評価手段の一例である。
具体的には、緊急通報番号情報１５２に示される緊急通報番号は、１１０番、１１９番及び１１８番であるから、制御部１００は、第３桁が「０」、「９」又は「８」のいずれかであれば、緊急通報番号に関連すると判断する。
これに対して、制御部１００は、第３桁が「０」、「９」又は「８」のいずれでもない場合には、緊急通報番号に関連しないと判断する。
【００３１】
そして、例えば、制御部１００は、第３桁評価プログラム１２０によって、第３桁が「０」、「９」又は「８」のいずれかであると判断した場合には、上述の測位制御プログラム１１８によって、測位を継続する。
これに対して、制御部１００は、第３桁評価プログラム１２０によって、第３桁が「０」、「９」又は「８」のいずれでもないと判断した場合には、上述の測位制御プログラム１１８によって、測位を停止する。
なお、端末２０の使用者から入力された第３桁の番号は、第３桁情報１５８として第２記憶部１５０に格納されている。
【００３２】
図３に示すように、端末２０は、第１記憶部１１０に、現在位置情報送信プログラム１２２を格納している。現在位置情報送信プログラム１２２は、制御部１００が、通信のために必要な番号入力の最後の桁の番号も、緊急通報番号に関連する番号である場合に、現在位置情報１６０を、緊急通報先へ送信するためのプログラムである。すなわち、現在位置情報送信プログラム１２２と制御部１００は、現在位置情報送信手段の一例である。
具体的には、制御部１００は、現在位置情報送信プログラム１２２によって、例えば、第１桁が「１」で、第２桁が「１」で、第３桁が「０」である場合には、１１０番に対応する警察機関に現在位置情報１６０を送信する。
【００３３】
上述のように、端末２０は、通信のための番号入力の第１桁の番号が、緊急通報番号に関連すると判断すると、後続の桁の入力を待つことなく、測位を開始することができる。
すなわち、端末２０は、緊急通報番号をすべて入力された時点から位置情報の取得を開始するのではなくて、第１桁の番号が、緊急通報番号に関連すると判断した時点で測位を開始するから、より早く現在位置情報１６０（図３参照）を生成することができる。
【００３４】
また、端末２０は、通信のために必要な番号入力が完了するまでの各桁について、緊急通報番号に関連するか否かを判断することができ、その判断結果に基づいて、測位を継続又は停止することができる。
このような構成によって、端末２０は、通信のために必要な番号入力が完了するまでの各桁が、緊急通報番号に関連しないと判断した場合には、測位を停止することができる。
すなわち、端末２０は、通信のために必要な番号入力が完了するまでの各桁が、緊急通報番号に関連せず、現在位置情報１６０を生成する必要がない場合に、測位を停止することができる。
これにより、測位による電力消費を低減することができる。
【００３５】
また、端末２０は、通信のために必要な番号入力の最後の桁も、緊急通報番号に関連する場合に、現在位置情報１６０を、緊急通報先である例えば、警察機関へ送信することができる。
上述のように、端末２０は、通信のための第１桁の番号が、緊急通報番号に関連すると判断すると、後続の桁の入力を待つことなく、測位を開始することができる。そして、第１桁の番号入力から最後の桁の番号入力の間においても、制御部１００が測位制御プログラム１１８によって測位を停止しない限り、端末２０は現在位置情報１６０の生成を継続している。
このため、端末２０は、通信のために必要な番号入力の最後の桁も、緊急通報番号に関連する場合には、現在位置情報１６０が既に生成されていれば、直ちに現在位置情報１６０を緊急通報先に送信することができる。また、現在位置情報１６０が生成過程であれば、現在位置情報１６０が生成され次第、現在位置情報１６０を緊急通報先に送信することができる。
これにより、端末２０は、緊急通報において、迅速に位置情報を緊急通報先へ送信することができる。
【００３６】
また、端末２０が格納している緊急通報番号情報１５２に示される緊急通報番号の桁数は、３桁である。
３桁の桁数は、警察機関などへの緊急通報番号の桁数として世界的に採用されている。
このため、端末２０は、警察機関などへの、緊急通報において、迅速に位置情報を緊急通報先へ送信することができる。
【００３７】
具体的には、緊急通報のための番号は、１１０、１１９及び１１８である。
１１０は、現在の日本国の警察機関への緊急通報番号である。１１９は、現在の日本国の消防機関への緊急通報番号である。そして、１１８は、現在の日本国の海上保安機関への緊急通報番号である。
このため、端末２０は、日本国の警察機関、消防機関及び海上保安機関への、緊急通報において、迅速に位置情報を緊急通報先へ送信することができる。
【００３８】
以上が本実施の形態に係る緊急通報システム１０の構成であるが、以下、その動作例を主に図４を使用して説明する。
図４は本実施の形態に係る緊急通報システム１０の動作例を示す概略フローチャートである。
端末２０の使用者が、入力装置３０（図２参照）によって、緊急通報番号である１１０番を入力するための入力操作を行うという前提で、以下説明する。
【００３９】
まず、端末２０は、第１桁の番号が「１」か否かを判断する（図４のステップＳＴ１）。このステップＳＴ１は、第１桁番号評価ステップの一例である。
上述のように、端末２０の使用者は、１１０番を入力するためにまず「１」のボタンを押下するから、ステップＳＴ１において、端末２０は、第１桁の番号が「１」であると判断し、ＧＰＳ部１０９を起動し、測位を開始する（ステップＳＴ２）。このステップＳＴ２は、測位開始ステップの一例である。
【００４０】
続いて、端末２０は、第２桁の番号が「１」か否かを判断する（ステップＳＴ３）このステップＳＴ３は、継続桁番号評価ステップの一例である。
端末２０の使用者は、１１０番を入力するために、第２桁として「１」のボタンを押下するから、ステップＳＴ３において、端末２０は、第２桁の番後が「１」であると判断する。
そして、端末２０は、測位を継続する（ステップＳＴ４）。このステップＳＴ４は、測位制御ステップの一例である。
【００４１】
続いて、端末２０は、第３桁の番号が「０」、「９」又は「８」のいずれか否かを判断する（ステップＳＴ５）。このステップ５もまた、継続桁番号評価ステップの一例である。
端末２０の使用者は、１１０番を入力するために、第３桁として「０」のボタンを押下するから、ステップＳＴ５において、端末２０は、第３桁の番号が「０」であると判断する。
そして、端末２０は、測位を継続する（ステップＳＴ６）。このステップＳＴ６もまた、測位制御ステップの一例である。
【００４２】
続いて、端末２０は、現在位置情報１６０（図３参照）を、１１０番に対応する緊急通報先である警察機関に送信する（ステップＳＴ７）。このステップＳＴ７は、現在位置情報送信ステップの一例である。
【００４３】
上述の例とは異なり、ステップＳＴ１において、端末２０が、第１桁の番号が「１」ではないと判断した場合には、測位を開始することはない。
また、ステップＳＴ３において、端末２０が、第２桁の番号が「１」ではないと判断した場合には、ＧＰＳ部１０４（図３参照）の電源を切断し、測位を停止する（ステップＳＴ３１）。
さらに、ステップＳＴ５において、端末２０が、第３桁の番号が「０」、「９」、「８」のいずれでもないと判断した場合には、ＧＰＳ部１０４（図３参照）の電源を切断し、測位を停止する（ステップＳＴ５１）。
上述のステップＳＴ３１及びステップＳＴ５１もまた、測位制御ステップの一例である。
上述のように、端末２０は、緊急通報において、迅速に位置情報を緊急通報先へ送信することができる。
【００４４】
（第２の実施の形態）
次に、第２の実施の形態について、説明する。
第２の実施の形態における緊急通報システム１０Ａ（図１参照）の構成は、上記第１の実施の形態の緊急通報システム１０と多くの構成が共通するため共通する部分は同一の符号等とし、説明を省略し、以下、相違点を中心に説明する。
【００４５】
第２の実施の形態の端末２０Ａは、以下に説明する構成によって、その使用者が例えば、怪我をしており、１１０番を押下しようとして、最初の１桁を押下した時点で力尽き、第２桁以降を押下することができないような場合にも、現在位置情報１６０を緊急通報先へ送信することができる。
【００４６】
図５は、端末２０Ａの主なソフトウエア構成を示す概略図である。
図５に示すように、端末２０Ａは、第２記憶部１５０に、設定間隔時間情報１６２を格納している。設定間隔時間情報１６２には、例えば、３０秒（ｓ）という設定間隔時間が示されている。設定間隔時間は、通信のための各桁の番号入力の間隔の基準を示す時間である。
【００４７】
図５に示すように、端末２０Ａは、第１記憶部１１０に、入力間隔時間評価プログラム１２４を格納している。入力間隔時間評価プログラム１２４は、制御部１００が、第１桁の番号入力から通信のために必要な番号入力が完了するまでの間において、あらかじめ規定した設定間隔時間内に後続の番号入力があるか否かを判断するためのプログラムである。すなわち、入力間隔時間評価プログラム１２４と制御部１００は、番号入力間隔時間判断手段の一例である。
第１桁の番号入力から通信のために必要な番号入力が完了するまでの間において、あらかじめ規定した設定間隔時間内に後続の番号入力があるか否かを判断するための時間は、計時部１０６によって計測する。
【００４８】
端末２０Ａは、第１桁の番号入力から通信のために必要な番号入力が完了するまでの間において、設定間隔時間情報１６２に示される設定間隔時間内に後続の番号入力ないと判断した場合には、現在位置情報送信プログラム１２２Ａによって、現在位置情報１６０を
緊急通報先へ送信する。例えば、第１桁として「１」が入力されてから設定間隔時間内に第２桁の番号入力がないと判断した場合には、第１桁が「１」であるすべての緊急通報先へ現在位置情報１６０を送信する。そして、第１桁として「１」が入力され、設定間隔時間内に第２桁として「１」が入力されてから、設定間隔時間内に第３桁の番号入力がないと判断した場合には、第１桁が「１」であって、第２桁が「１」であるすべての緊急通報先へ現在位置情報１６０を送信する。
【００４９】
端末２０Ａの使用者が、例えば、怪我をしているために、緊急通報のための第１桁の入力ための操作をしても、後続の桁の入力のための操作をすることができない場合がある。このような場合は、緊急度が高いと言える。    
この点、端末２０Ａは、第１桁の番号入力から通信のために必要な番号入力が完了するまでの間において、設定間隔時間内に後続の番号入力があるか否かを判断することができる。
そして、端末２０Ａは、第１桁の番号入力から通信のために必要な番号入力が完了するまでの間において、設定間隔時間内に後続の番号入力がないと判断した場合にも、現在位置情報１６０を、緊急通報先へ送信する構成となっている。
このため、端末２０Ａは、その使用者が、緊急通報のための第１桁の入力ための操作をしても、後続の桁の入力のための操作をすることができないような緊急度が高い場合に、緊急通報先に現在位置情報１６０を送信することができる。    
【００５０】
以上が本実施の形態に係る緊急通報システム１０Ａの構成であるが、以下、その動作例を主に図６を使用して、第１の実施の形態と異なる点を中心に説明する。
図６は本実施の形態に係る緊急通報システム１０Ａの動作例を示す概略フローチャートである。
【００５１】
端末２０Ａは、第１桁が「１」であると判断し（図６のステップＳＴ１０１）、ＧＰＳ部１０４（図５参照）を起動して測位を開始すると（ステップＳＴ１０２）、設定間隔時間内に第２桁の番号入力があったか否かを判断する（ステップＳＴ１０３）。
そして、ステップＳＴ１０３において、設定間隔時間内に第２桁の番号入力がないと判断すると、現在位置情報１６０を第１桁が「１」であるすべての緊急通報先へ送信する（ステップＳＴ１１０）。
【００５２】
ステップＳＴ１０３において、端末２０Ａが、設定間隔時間内に例えば、第２桁として「１」の番号入力があったと判断した場合には、ステップＳＴ１０４及びステップＳＴ１０５を経て、ステップＳＴ１０６において、設定間隔時間内に第３桁の番号入力があったか否かを判断する。ステップＳＴ１０３において、設定間隔時間内に第３桁の番号入力がないと判断すると、現在位置情報１６０を第１桁が「１」であって、第２桁が「１」であるすべての緊急通報先へ送信する（ステップＳＴ１１１）。
【００５３】
上述のように、端末２０Ａは、その使用者が例えば、怪我をしており、１１０番を押下しようとして、最初の１桁を押下した時点で力尽き、第２桁以降を押下することができないような場合にも、現在位置情報１６０を緊急通報先へ送信することができる。
【００５４】
（プログラム及びコンピュータ読み取り可能な記録媒体等について）
コンピュータに上述の動作例の第１桁番号評価ステップと、測位開始ステップと、継続桁番号評価ステップと、測位継続制御ステップと、現在位置情報送信ステップ等を実行させるための端末装置の制御プログラムとすることができる。
また、このような端末装置の制御プログラム等を記録したコンピュータ読み取り可能な記録媒体等とすることもできる。
【００５５】
これら端末装置の制御プログラム等をコンピュータにインストールし、コンピュータによって実行可能な状態とするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔａｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００５６】
本発明は、上述の各実施の形態に限定されない。さらに、上述の各実施の形態は、相互に組み合わせて構成するようにしてもよい。
【図面の簡単な説明】
【００５７】
【図１】本発明の実施の形態に係る緊急通報システムを示す概略図である。
【図２】端末の主なハードウエア構成等を示す概略図である。
【図３】端末の主なソフトウエア構成等を示す概略図である。
【図４】緊急通報システムの動作例を示す概略フローチャートである。
【図５】端末の主なソフトウエア構成等を示す概略図である。
【図６】緊急通報システムの動作例を示す概略フローチャートである。
【符号の説明】
【００５８】
１０，１０Ａ・・・緊急通報システム、１２ａ，１２ｂ，１２ｃ，１２ｄ・・・ＧＰＳ衛星、２０，２０Ａ・・・端末、３４・・・通信装置、３６・・・ＧＰＳ装置、５０・・・通信基地局、５５・・・インターネット網、６０・・・緊急通報先サーバ、１１２・・・第１桁評価プログラム、１１４・・・測位プログラム、１１６・・・第２桁評価プログラム、１１８・・・測位制御プログラム、１２０・・・第３桁評価プログラム、１２２，１２２Ａ・・・現在位置情報送信プログラム、１２４・・・入力間隔時間評価プログラム
【図１】
2006203663.tif 000003
【図２】
2006203663.tif 000004
【図３】
2006203663.tif 000005
【図４】
2006203663.tif 000006
【図５】
2006203663.tif 000007
【図６】
2006203663.tif 000008